(57)【要約】      （修正有）【課題】エサの交換を、安全かつ衛生的に行うことが可能な給餌具を提供する。【解決手段】飼育ケース９のケース蓋部材91に貫設された挿入孔部92に着脱自在に取着される蓋部１と、その蓋部１から垂下状に設けられた吊下帯片部２と、その吊下帯片部２の下端部２ｂに設けた給餌容器部３と、を備えている。また、吊下帯片部２は上下伸縮自在に構成される。【選択図】図２
2019208402.tif 000002
【特許請求の範囲】
【請求項１】
飼育ケース（９）のケース蓋部材（91）に貫設された挿入孔部（92）に着脱自在に取着される蓋部（１）と、該蓋部（１）から垂下状に設けられた吊下帯片部（２）と、該吊下帯片部（２）の下端部（２ｂ）に設けた給餌容器部（３）と、を備えたことを特徴とする給餌具。
【請求項２】
上記吊下帯片部（２）が上下伸縮自在に構成されている請求項１記載の給餌具。
【請求項３】
上記挿入孔部（92）は、平面視円形状であって、
上記蓋部（１）と上記給餌容器部（３）とを平面視円形状として、かつ、上記吊下帯片部（２）を横断面円弧状とした請求項１又は２記載の給餌具。
【請求項４】
上記給餌容器部（３）を、上記吊下帯片部（２）に着脱自在に設けた請求項１，２又は３記載の給餌具。
【発明の詳細な説明】
【技術分野】
【０００１】
本発明は、給餌具に関する。
【背景技術】
【０００２】
従来、カブトムシやクワガタムシ等の昆虫用給餌具や、ハムスターやリス等の小動物用給餌具としては浅皿状の据置型容器が公知である（例えば、特許文献１及び特許文献２参照）。
【先行技術文献】
【特許文献】
【０００３】
【特許文献１】登録実用新案第３１２１７４０号公報
【特許文献２】登録実用新案第３０８３６８７号公報
【発明の概要】
【発明が解決しようとする課題】
【０００４】
しかし、従来のような据置型容器は、エサを交換する際に、飼育ケース内に手を入れるため、昆虫や小動物、或いは、汚れている土やワラ等の飼育マットに手が触れることがあり不衛生であった。また、昆虫や小動物等の被飼育生物によって、飼育者の手が傷つけられる虞れがあり、危険であるといった問題もあった。
【０００５】
そこで、本発明は、エサの交換を、安全かつ衛生的に行うことが可能な給餌具の提供を目的とする。
【課題を解決するための手段】
【０００６】
本発明の小動物用食器は、飼育ケースのケース蓋部材に貫設された挿入孔部に着脱自在に取着される蓋部と、該蓋部から垂下状に設けられた吊下帯片部と、該吊下帯片部の下端部に設けた給餌容器部と、を備えたものである。
また、上記吊下帯片部が上下伸縮自在に構成されているものである。
また、上記挿入孔部は、平面視円形状であって、上記蓋部と上記給餌容器部とを平面視円形状として、かつ、上記吊下帯片部を横断面円弧状としたものである。
また、上記給餌容器部を、上記吊下帯片部に着脱自在に設けたものである。
【発明の効果】
【０００７】
本発明によれば、給餌作業者が飼育ケース内へ手を入れずにエサ交換等の給餌作業を行うことができ、給餌作業者の手が昆虫や小動物等の被飼育生物、或いは、土やワラ等の飼育マットに触れる虞れがなく、衛生的かつ安全に給餌作業を行うことができる。また、給餌作業を楽に（容易かつ迅速に）行うことができる。被飼育生物によって給餌容器部がひっくり返されるのを防止できる。構造がシンプルで故障の虞れがほとんどなく耐久性に優れる。給餌作業の際にケース蓋部材を取り外したり、ケース蓋部材に設けている大きな天井扉（窓）を開口する必要がなく、被飼育生物が脱走するのを防止できる。
【図面の簡単な説明】
【０００８】
【図１】本発明の実施の一形態を示す斜視図である。
【図２】使用状態の一例を示す断面斜視図である。
【図３】使用状態の他例を示す断面斜視図である。
【図４】組み付け状態の断面図であって、（ａ）は側面断面図であり、（ｂ）は（ａ）のＢ−Ｂ断面図であり、（ｃ）は（ａ）のＣ−Ｃ断面図であり、（ｄ）は（ａ）のＤ−Ｄ断面図である。
【図５】分解斜視図である。
【図６】吊下部材の一例を示し、（ａ）は要部破断平面図であり、（ｂ）は正面図である。
【図７】連結部材の一例を示す背面図である。
【図８】容器部材の一例を示し、背面から見た斜視図である。
【図９】挿入孔部と蓋部との係合構造を説明する図であって、（ａ）は挿入孔部の平面図であり、（ｂ）は蓋部係合準備状態の要部破断平面図であり、（ｃ）は蓋部係合状態の要部破断平面図である。
【発明を実施するための形態】
【０００９】
以下、図示の実施形態に基づき本発明を詳説する。
本発明に係る給餌具は、図１乃至図３に示すように、飼育ケース９のケース蓋部材91に貫設された挿入孔部92に施蓋状に取着可能な蓋部１と、蓋部１から垂下状に設けられた吊下帯片部２と、吊下帯片部２の下端部２ｂに設けられた給餌容器部３と、を備えている。
【００１０】
図２及び図３に示すように、吊下帯片部２を上下伸縮自在に構成している。つまり、上方開口箱型のケース本体90の内底面90ｂから給餌容器部３の下面までの高さ位置を調整自在に構成している。
【００１１】
図１乃至図５に示すように、吊下帯片部２は、蓋部１から垂設された垂下片部11と、垂下片部11に上下スライド自在に取着する帯状の連結部材20と、で構成している。
給餌容器部３は、上方開口浅皿状の容器部材30で構成している。
つまり、図示の実施形態は、給餌具を、蓋部１と垂下片部11とを一体状に有する樹脂製の吊下部材10と、樹脂製の連結部材20と、樹脂製の容器部材30と、の３部品で構成している。
【００１２】
図４に於て、吊下部材10の垂下片部11は、横断面円弧状であって、背面（外周面）11ａを、平面視円形状の蓋部１の蓋半径寸法Ｒ１よりも小さい第１曲率半径Ｒ11で形成している。
連結部材20は、横断面円弧状であって、背面（外周面）20ａを、第１曲率半径Ｒ11よりも小さい第２曲率半径Ｒ20で形成している。
【００１３】
垂下片部11は帯状であって、上下方向に沿った各側縁部に連結部材20を上下方向スライド自在に抱き込み状に保持するための折返し状（内巻状）の係止側縁部11ｄを有している。
連結部材20は、上下方向に沿った各側縁部に、垂下片部11の係止側縁部11ｄが上下方向スライド自在に係止する凹溝側縁部20ｄを有している。
【００１４】
垂下片部11の表て面（内周面）11ｂと、連結部材20の背面20ａとが、対面状となるように垂下片部11の下端から連結部材20を接近させて、各係止側縁部11ｄを各凹溝側縁部20ｄに係止させるように、上下方向に差込んで（垂下片部11の表て面11ｂ側に連結部材20を差込んで）、垂下片部11と連結部材20とを相互に上下スライド自在に組み付けて、吊下帯片部２を上下伸縮自在としている。また、横断面円弧状の垂下片部11と、横断面円弧状の吊下帯片部２を前後方向に重ね合わせるように組み付けることで、吊下帯片部２を横断面円弧状としている。
【００１５】
さらに、吊下帯片部２は、伸縮長さ寸法（上下寸法）を複数段に調整可能に構成している。言い換えると、連結部材20を複数段で位置決め可能に構成している。
【００１６】
図６に於て、垂下片部11は、下端から切欠いた左右一対の切欠き部11ｅ，11ｅの間に下方突出状の舌片型に形成した位置決め用の爪片部11ｆを有している。爪片部11ｆは、弾性変形にて、後方（ラジアル外方）へ揺動可能に設けている。
【００１７】
図４と図７に示すように、連結部材20の背面20ａには、複数の位置決め用の凹部20ｆ，20ｆが上下方向に列設されている。
凹部20ｆは、上内面が後方上傾状に形成されると共に、下内面が後方下傾状に形成された後方拡大状の谷型である。
【００１８】
図４に示すように、垂下片部11に連結部材20を組み付けた状態で、爪片部11ｆの下端突出部が、凹部20ｆに入り込んで係合することで、垂下片部11に対する連結部材20の上下スライド移動が阻止された状態（位置決め状態）となる。
【００１９】
吊下帯片部２を短縮させる場合は、垂下片部11の下端部と、連結部材20の下端部20ｂとが相対的に接近するような所定圧縮操作力を付与すると、爪片部11ｆが、凹部20ｆの下内面に沿って後方へ移動し、凹部20ｆから抜け出て、凹部20ｆと凹部20ｆの間を摺接し、次の下位置の凹部20ｆで、爪片部11ｆが弾性的復元力によって入り込んで係合し、１段、短縮させた状態となる。
吊下帯片部２を伸長させる場合は、垂下片部11の下端部と、連結部材20の下端部20ｂとが相対的に離間するような所定引張り操作力を付与すると、爪片部11ｆが、凹部20ｆの上内面に沿って後方へ移動し、凹部20ｆから抜け出て、凹部20ｆと凹部20ｆの間を摺接し、次の上位置の凹部20ｆで、爪片部11ｆが弾性的復元力によって入り込んで係合し、１段、伸長させた状態となる。
【００２０】
さらに、給餌容器部３を吊下帯片部２に着脱自在に設けている。言い換えると、連結部材20と容器部材30とを着脱自在に構成している。
【００２１】
図４と図８に於て、容器部材30は、有底短円筒状であって、背面側の周壁部に連結部材20の下端部20ｂの各側縁部（差込側縁部）20ｋが上方から（抜き差し自在に）差し込まれる差込溝部30ｋと、左右一対の差込溝部30ｋ，30ｋの間で周壁部に凹設された係止凹部30ｇと、を有している
【００２２】
図４と図７に於て、連結部材20の下端部20ｂは、各差込溝部30ｋに差込まれる（凹溝側縁部20ｄが省略された）差込側縁部20ｋと、表て面から前方へ突設された係止凸部20ｇと、を有している。
【００２３】
図４（ｄ）に示すように、連結部材20の差込側縁部20ｋが容器部材30の差込溝部30ｋに差込まれると共に、係止凸部20ｇが係止凹部30ｇに係合して、組み付け状態となる。
また、連結部材20と容器部材30とを上下方向に離間するような所定分離操作力が付与されると、係止凸部20ｇが弾性変形して、係止凹部30ｇの上面を乗り越えるように構成して、連結部材20と容器部材30を分離可能（取り外し可能）としている。
このように、ネジ部材やネジ孔等を用いずに着脱自在であるため、工具無しで着脱作業が行え、容器部材30のみの清掃を容易かつ迅速に行うことができる。また、製造（樹脂成形）も容易となる。
【００２４】
なお、連結部材20に対する容器部材30の上方移動防止構造は、差込溝部30ｋの下端に設けたストッパ部30ｅと、連結部材20の差込縁側部20ｋの下端面と、の当接による上方移動防止構造、或いは、連結部材20の差込側縁部20ｋの上端に設けた外鍔状の当り部20ｅと、容器部材30の差込溝部30ｋ近傍の上端面と、の当接による上方移動防止構造としている。
【００２５】
また、図１と図４乃至図６に示すように、蓋部１は、平面視円形状であって、上面側に給餌作業者が把持するためのアーチ型の摘まみ部19を有し、下面１ａ側にケース蓋部材91の挿入孔部92に着脱自在に取着するための（係脱自在に係合するための）爪部18を有している。爪部18は、蓋部１の下面１ａから垂設された垂下部18ａと、垂下部18ａの下端からラジアル外方へ突出する係止部18ｂと、を有している。
【００２６】
図９（ａ）に示すように、挿入孔部92は、平面視円形状であって、内周面からラジアル内方に突出する平面視円弧状の掛り部93を、周方向に等間隔に４つ有している。
掛り部93の上面は、蓋部１の下面１ａの外周縁部に当接して、蓋部１が飼育ケース９内に落ち込むのを防止する。また、周方向に隣り合う掛り部93，93同士の間の間隙部94は、爪部18が挿通可能に設けている。
【００２７】
図９（ｂ）に示すように、爪部18を間隙部94に対応させて、蓋部１を掛り部93に載置した蓋部係合準備状態とし、蓋部１を一軸心Ｌ周りに回転させると、図９（ｃ）に示すように、爪部18の係止部18ｂが、掛り部93の下面側へ移動して、掛り部93に係止し、蓋部１が上方へ抜けるのを防止された蓋部係合状態（取着状態）となる。なお、図示省略するが、掛り部93の下面に、下方突出状の小突隆部を周方向に一対設けて、蓋部１が所定回転操作力にて回転した際に、係止部18ｂが弾性変形して１つの小突隆部を乗り越えて、小突隆部と小突隆部の間に係止部18ｂが配設されることで、周り止めを行うように構成している。
【００２８】
また、取着後に、給餌作業者が蓋部１に所定回転操作力を付与すると、係止部18ｂが小突隆部を乗り越え、爪部18が間隙部94に対応し、蓋部１（本発明の給餌具）を上方へ引き抜くことが可能である。
【００２９】
図１に於て、蓋部１は、ケース蓋部材91の挿入孔部92に着脱自在に施蓋状に取着する樹脂製のキャップ部材６に替わって、挿入孔部92を施蓋する。
つまり、ケース蓋部材91の挿入孔部92には、蓋部１又はキャップ部材６が、選択的に（交換自在に）、取着される。キャップ部材６は、蓋部１と同様に、挿入孔部92に対して着脱自在な施蓋作用を発揮する係止部68ｂを有する爪部68を備えている。言い換えると、蓋部１とキャップ部材６は、同じ係合構造（挿入孔部92に着脱自在に取着するための構造）を具備している。さらに言い換えると、蓋部１の爪部18（係止部18ｂ）とキャップ部材６の爪部68（係止部68ｂ）とは、ほぼ同じ形状（寸法）で形成している。
【００３０】
ここで、図９（ａ）に示すように、各掛り部93は、所定曲率半径Ｒａをもった平面視円弧状の内縁93ｅを有している。そこで、図４（ｂ）（ｃ）に示すように、垂下片部11と連結部材20との連結部位は、横断面で、上記所定半径寸法Ｒａよりも小さい半径寸法で描かれる仮想円の外周端縁の一部の範囲を成す円弧状に形成している。
【００３１】
また、図４に於て、蓋部１の蓋半径寸法Ｒ１の中心と、垂下片部11の第１曲率半径Ｒ11の中心と、連結部材20の第２曲率半径Ｒ20の中心と、容器部半径寸法Ｒ３の中心とを、一軸心Ｌ上に配設している。言い換えると、蓋部１と吊下帯片部２と給餌容器部３とは、平面視で同軸心状に配設している。
挿入孔部92に差込む際や、挿入孔部92に係合させる（一軸心Ｌ周りに回転させる）際に、吊下帯片部２や給餌容器部３が複数の掛り部93，93に引っ掛からないように、図４（ｄ）に示すように、連結部材20と容器部材30の組付け状態の横断面形状を、上記所定半径寸法Ｒａよりも小さい半径寸法（容器部半径寸法Ｒ３）をもった円形状に形成し、さらに、図４（ｂ）に示すように、垂下片部11と連結部材20との連結部位の背面を、上記所定半径寸法Ｒａよりも小さい半径寸法（第１曲率半径Ｒ11）をもった円弧状に形成している。
【００３２】
なお、本発明は、設計変更可能であって、蓋部１と垂下片部11とを別部材で構成するも良い。垂下片部11に凹部20ｆを設け、連結部材20に爪片部11ｆを設けても良い。垂下片部11よりも連結部材20を後方側に配設し、垂下片部11に凹溝側縁部20ｄを設けると共に連結部材20に係止側縁部11ｄを設けて、組み付けるように構成するも良い。給餌容器部３に収容するエサは、固形状、粘土（スラリー）状、ゼリー状、液体状等自由であり、生き餌であっても良い。本発明において、「給餌」の「餌」とは、水のみの場合も含む。また、容器部材30（給餌容器部３）は、上方開口型カップに充填されたゼリー状のエサが１つ収容可能な大きさが使い勝手が良くて好ましい。凹部20ｆは、１０個以上３０個以下が好ましい（吊下帯片部２を１０段以上３０段以下に調整可能とするのが好ましい）。１０個（１０段）以上であると微調整が困難となり、３０個（３０段）を越えると製造が困難になる。
【００３３】
以上のように、本発明の給餌具は、飼育ケース９のケース蓋部材91に貫設された挿入孔部92に着脱自在に取着される蓋部１と、該蓋部１から垂下状に設けられた吊下帯片部２と、該吊下帯片部２の下端部２ｂに設けた給餌容器部３と、を備えたので、給餌作業者が飼育ケース９内へ手を入れずにエサの交換等の給餌作業を行うことができ、給餌作業者の手が昆虫や小動物等の被飼育生物、或いは、土やワラ等の飼育マットに触れる虞れがなく、衛生的かつ安全に給餌作業を行うことができる。また、給餌作業を楽に（容易かつスムーズに）行うことができる。被飼育生物によって給餌容器部３がひっくり返されるのを防止できる。構造がシンプルで故障の虞れがほとんどなく耐久性に優れる。また、給餌作業の際に、ケース蓋部材91を取り外したり、ケース蓋部材91に設けている大きな天井扉（窓）95を開口する必要がなく、被飼育生物が脱走するのを防止できる。
【００３４】
また、上記吊下帯片部２が上下伸縮自在に構成されているので、例えば、図２に示すカブトムシのように土等の飼育マットを多く入れる場合や、図３に示すハムスターのようにワラ等の飼育マットを少なく入れる場合、また、図示省略するが木の枝や壁面等の高位置で生活するような生物の場合等、被飼育生物の習性（好み）に応じて、エサ（給餌容器部３）の高さ位置を変えることができる。また、高さ（深さ）の異なる様々な種類の飼育ケース９（ケース本体90）に対応できる。また、給餌容器部３の下面を、飼育マット面Ｇ（図２参照）から離間させることができ、汚れず衛生的であると共に清掃が容易である。
【００３５】
また、上記挿入孔部92は、平面視円形状であって、上記蓋部１と上記給餌容器部３とを平面視円形状として、かつ、上記吊下帯片部２を横断面円弧状としたので、挿入孔部92に対して、容易かつスムーズに抜き差しでき、給餌作業をストレス無く行うことができる。給餌容器部３に収容したエサをこぼさずに飼育ケース９内へ挿入できる。
【００３６】
また、上記給餌容器部３を、上記吊下帯片部２に着脱自在に設けたので、給餌容器部３のみを清掃できる。また、ハムスター等によって齧られやすい給餌容器部３（容器部材30）のみを交換でき、修理が容易である。
【符号の説明】
【００３７】
１  蓋部
２  吊下帯片部
２ｂ  下端部
３  給餌容器部
９  飼育ケース
91  ケース蓋部材
92  挿入孔部
【図１】
2019208402.tif 000003
【図２】
2019208402.tif 000004
【図３】
2019208402.tif 000005
【図４】
2019208402.tif 000006
【図５】
2019208402.tif 000007
【図６】
2019208402.tif 000008
【図７】
2019208402.tif 000009
【図８】
2019208402.tif 000010
【図９】
2019208402.tif 000011